(57)【要約】【課題】ラインセンサーを用いた電子判定装置において、ラインセンサーを容易にゴールライン上に合わせることができ、また常時上記ゴールライン合わせが正しくなされているかを簡単にモニターできる。【解決手段】レース場のゴールライン上を一定のスリット間隔でラインセンサーにより撮像し、該ライン状の画像を連続してモニター上に表示することにより着順判定画像とする競技用電子判定装置において、上記ゴールライン上の両端、もしくは該ゴールラインの両端延長線上にそれぞれＬＥＤを設置し、上記モニターにおいて該ＬＥＤの発光表示の輝度が最大になるように前記ラインセンサーの方向を設定することにより、該ラインセンサーが正確にゴールライン上を撮像するための位置合わせを行う。【選択図】図２
2008200150.tif 000002
【特許請求の範囲】
【請求項１】
レース場のゴールライン上を一定のスリット間隔でラインセンサーにより撮像し、該ライン状の画像を連続してモニター上に表示することにより着順判定画像とする競技用電子判定装置において、
上記ゴールライン上の両端、もしくは該ゴールラインの両端延長線上にそれぞれＬＥＤ等の発光物体を設置し、上記モニターにおいて該ＬＥＤ等の発光物体の発光表示の輝度が最大になるように前記ラインセンサーの方向を設定することにより、該ラインセンサーが正確にゴールライン上を撮像するための位置合わせを行うことを特徴とする競技用電子判定装置。
【請求項２】
前記ＬＥＤ等の発光物体を点灯制御し、常時前記ラインセンサーの撮像方向がゴールライン上に合っていることを確認できることを特徴とする前記請求項１記載の競技用電子判定装置。
【発明の詳細な説明】
【技術分野】
【０００１】
本発明は、競馬、競輪、競艇、オート等の競技（レース）における電子判定装置に関する。
【背景技術】
【０００２】
従来、競馬等においてゴールライン上を連続してラインセンサーで撮像し、該撮像された画像から競馬等の着順判定やタイム表示を行うシステムが知られている。
前記競技用の電子判定装置にはラインセンサー（直線状のＣＣＤセンサー）が用いられており、該ラインセンサーは、レース場のゴールライン上を一定のスリット間隔でライン状に撮像し、該ライン状の画像を連続してモニター上に表示することにより着順判定画像としている。
【０００３】
これは、従来スリット・カメラでほぼ対象物（例えば、馬）の速度とほぼ同じ速度でフィルムを走らせて連続して撮影し、これを表示することにより着順判定画像としていたものをＣＣＤラインセンサーとモニターにより電子的に実現したものである。
【０００４】
図３に該着順判定画像の例を示す。なお、図３において、３１，３２は着順判定用のカーソル線である。審判員は、図３に示されるようにモニタに表示された映像において、着順を判定する馬の先端にカーソル３１，３２を合わせて着順を判定する。
【０００５】
図１は、従来のスリットカメラを用いた着順判定装置の概念図を示す。図において、１はレンズ、２はスリット２ａを有するスリット板、３はフィルムであり、これらはカメラケースＣ内に収められている。ゴールライン４上の物体像がレンズ１およびスリット２ａを通してフィルム３上に結像するように配置し、フィルム３をゴールライン上を通過する物体の速度で移動物体と逆方向に移動して巻き替えることにより第３図に示すように、ゴールライン上を通過した移動物体の像がフィルムに写し込まれる。
【０００６】
現在、前記競技用の電子判定装置には上記スリットカメラに替えてラインセンサー（直線状のＣＣＤセンサー）が用いられており、該ラインセンサーは、レース場のゴールライン上を一定のスリット間隔でライン状に撮像し、該ライン状の画像を連続してモニター上に表示することにより着順判定画像としている。
【０００７】
上記ラインセンサ−は、正確にゴールライン上に合わせる必要がある。ゴールライン（判定基準線）とラインセンサーの撮像方向にずれが生じていると、正確に着順判定ができないことになる。例えば、ゴールラインとラインセンサーが僅かでも角度をもって設置されると、ゴールラインに到達した位置によって遅れて入った馬等が先に検出されたり、あるいは順位が同着と判定されてしまうことになる。また、ゴールラインとラインセンサーの方向が左右にずれると、その分ゴールラインからずれた位置で着順判定をすることになってしまう。
【０００８】
競馬等においては、鼻の差で着順が決まるので、上記ラインセンサーを正確にゴールライン上に合わせることは重要である。
このため、上記従来の電子判定装置は、例えば、特開平６−２７６５２６号公報や特開平４−２６８５４８号公報に示されるように、図１のレンズ１とスリット２の間で分光してビューファインダでラインセンサーをゴールラインに合わせていた。そのライン合わせの例が、特表平８−５０６２２５号公報にも示されている。このように、電子判定装置は判定基準線であるスタートラインまたはゴールライン上にラインセンサが正確に重なり合うように設置される。
【０００９】
しかし、この作業は目視によるものであって、その作業は面倒であった。また、目で見て合わせるので、必ずしも正確でなく、また自動化もできない欠点があった。
また、競馬場によっては、毎日レース前にトランシット等を用いてこのライン合わせを行うところもあるが、その測量作業は繁雑である。さらに、測量によりライン合わせを行った場合、その後の温度とか、衝撃とかで、ラインセンサーがゴールラインからずれることがあり、ラインに合っていることをレース間等に常時モニターで確認することは簡単にはできない欠点があった。  
【特許文献１】特開平４−２６８５４８号公報
【特許文献２】特開平６−２７６５２６号公報
【特許文献３】特表平８−５０６２２５号公報
【発明の開示】
【発明が解決しようとする課題】
【００１０】
本発明は、ラインセンサーを用いた電子判定装置において、ラインセンサーを容易にゴールライン上に合わせることができ、また常時上記ゴールライン合わせが正しくなされているかを簡単にモニターできる方法及び装置を提供することをを目的とする。
【課題を解決するための手段】
【００１１】
上記目的を達成するため、本発明の競技用電子判定装置は、レース場のゴールライン上を一定のスリット間隔でラインセンサーにより撮像し、該ライン状の画像を連続してモニター上に表示することにより着順判定画像とする競技用電子判定装置において、上記ゴールライン上の両端、もしくは該ゴールラインの両端延長線上にそれぞれＬＥＤ等の発光物体を設置し、上記モニターにおいて該ＬＥＤ等の発光物体の発光表示の輝度が最大になるように前記ラインセンサーの方向を設定することにより、該ラインセンサーが正確にゴールライン上を撮像するための位置合わせを行うことを特徴とする。
【００１２】
さらに、前記ＬＥＤを点灯制御し、常時前記ラインセンサーの撮像方向がゴールライン上に合っていることを確認できることを特徴とする。
【発明の効果】
【００１３】
本発明の装置によれば、ラインセンサーをゴールラインに合わせる作業が簡単にできると共に、ラインセンサーがゴールラインに正確に合わされているかどうかを常時容易にモニターで確認できる効果がある。
【発明を実施するための最良の形態】
【００１４】
図２に、本発明のラインセンサーをゴールラインに合わせる方法及び装置を示す。カメラヘッド２０にはラインセンサーが内蔵されており、該ラインセンサーはゴールライン２６上にぴったり合うように調整される。ラインセンサーの出力は、カメラ制御部２１，パソコン２２を介してモニター２３上に表示される。
【００１５】
ゴールライン２６上には、競馬等の競技に影響のないようにゴールラインの両端、もしくは両端の延長線上に発光ダイオード２４，２５を設置する。この発光ダイオード２４，２５を発光させ、カメラヘッド２０内のラインセンサーでゴールライン上を撮影し、モニターに表示すると、図２に示される如く、モニター２３上には上記発光ダイオードの輝度２７，２８が表示される。もし、ラインセンサーがゴールラインに正確に合っていればその輝度は最大になるので、ラインセンサーの設定作業を行う時は、モニター上の両発光ダイオードの輝度がそれぞれ最大になる方向にラインセンサーの方向を合わせれば、ラインセンサーが正確にゴールライン上に合っていることになる。この作業は、自動化も可能である。
【００１６】
また、設置後の撮影時に上記モニター上の発光ダイオードの輝度を監視すれば、ラインセンサーが温度変化とか、衝撃等により、ゴールライン上からずれているかどうかを容易に監視することができる。
【産業上の利用可能性】
【００１７】
本発明の方法及び装置を用いれば、ラインセンサーを用いた競技用電子判定装置において、ラインセンサーを容易にゴールライン上に合わせることができるので、現場の作業を楽にし、現場の利便性が高い。また、このゴールラインへの合わせ作業を自動的に行うことも可能になる。さらに、環境変化や衝撃等によりラインセンサーの方向がゴールラインからずれても、常時容易に上記ライン合わせをモニター上で確認できるので、現場での使い勝手がよい。従って、産業上の利用性が高い。
【図面の簡単な説明】
【００１８】
【図１】従来のスリットカメラによる着順判定装置を示す概念図である。
【図２】本発明のラインセンサーをゴールラインに合わせる方法及び装置の説明図である。
【図３】競技用電子判定装置における着順判定画像の例を示す図である。
【符号の説明】
【００１９】
１      レンズ
２      スリット
３      フィルム
２０      カメラヘッド
２１      カメラ制御部
２２      パソコン
２３      モニター
２４      ＬＥＤ
２５      ＬＥＤ
２６      ゴールライン
【図１】
2008200150.tif 000003
【図２】
2008200150.tif 000004
【図３】
2008200150.tif 000005